(57)【要約】      （修正有）【課題】フラット・ラック、コンテナの大型貨物の荷造りやシート被覆等における作業を安全に行える高所作業安全装置を提供する。【解決手段】コンテナＡ用の高所作業用安全装置１は、長方形状のコンテナ四隅の支柱上の隅金物に係合するロック機構と、コンテナの対向する２辺に配され、前記ロック機構をその両端に取り付けて前記支柱上の隅金物に前記ロック機構を係合して前記支柱に固定する２本の横部材と前記２本の横部材２のそれぞれに水平方向適所に立設するポール３と、前記２本のポールの頂部間に掛け渡した索条５とで構成している。【選択図】図１
0003225067.tif 000002
【実用新案登録請求の範囲】
【請求項１】
コンテナ用の高所作業用安全装置において、長方形状のコンテナ四隅の支柱上の隅金物に結合するロック機構と、
コンテナの対向する２辺に配され、前記ロック機構のうち２個をその両端に取り付けて前記支柱上の隅金物に前記ロック機構を結合して前記支柱に固定する２本の横部材と、
前記２本の横部材のそれぞれに水平方向適所に立設するポールと、
前記２本のポールの頂部間に掛け渡した索条とからなるコンテナ用の高所作業用安全装置。
【請求項２】
前記索条は、前記一方のポールの頂部に固定するとともに他方のポールの頂部に設けた滑車を介して、該ポールの下端部の捲取り機に巻取り固定した請求項１に記載のコンテナの高所作業用安全装置。
【請求項３】
前記捲取り機は、遠隔操作で前記索条の張力を調整することが可能な請求項２に記載のコンテナの高所作業用安全装置。
【考案の詳細な説明】
【技術分野】
【０００１】  本考案は、コンテナ特にフラット・ラック・コンテナ、オープン・トップ・コンテナ等（以下単にコンテナという）上の大型貨物にシートを覆って養生するときや大型貨物に固定する荷造りの時のコンテナの高所作業用安全装置に関するものである。
【背景技術】
【０００２】  大型貨物をコンテナで輸送することがある。その場合のコンテナは少なくとも天井のない、または、さらに側面の壁材がない四隅に支柱を立設したコンテナが使用される。大型貨物は高さが高いので、大型貨物を荷造りする作業や養生シートで大型貨物を覆う作業、さらに養生シートを固定する作業は自ずと高所作業になる。
この高所作業の問題を解決するために特許文献１が提案されている。この提案技術は、４周側面に壁板を有しかつ天井板を有するいわゆるドライ・コンテナ上で作業する為の高所作業用安全支柱である。
【先行技術文献】
【特許文献】
【０００３】
【特許文献１】特開２０１３−１５３９５５
【考案の概要】
【考案が解決しようとする課題】
【０００４】  しかし、上記提案の技術は、天井板のあるコンテナの天井の上で高所作業を行うときの安全装置であり、水平方向の作業時の転落防止装置である。天井のないコンテナで大型貨物を輸送する際に貨物の荷造りや貨物を養生する為に貨物に登りながら作業する場合には適用できないという問題がる。貨物に上り下りしながら作業することができないと云う問題がる。【０００５】  そこで、本考案はこのような課題を解決するもので、水平方向にも上下方向にも移動しながら作業ができる、コンテナの特徴を利用した簡易かつ安価な安全装置を提供すること目的とする。
【課題を解決するための手段】
【０００６】  上記目的を達成するために、本第１考案では、コンテナ用の高所作業用安全装置において、長方形状のコンテナ（Ａ）四隅の支柱（Ｂ）上の隅金物（Ｃ）に係合するロック機構（２１）と、前記ロック機構（２１）のうち２個をその両端に着脱自在に取り付け、コンテナの対向する２辺に配し、前記支柱（Ｂ）上の隅金物Ｃにロック機構（２１）を係合して前記支柱（Ｂ）に固定する２本の横部材（２），（２）と、前記２本の横部材（２），（２）のそれぞれに水平方向適所上面に立設するポール（３），（４）と、前記２本のポール（３），（４）の頂部間（３１）、（４１）に掛け渡した索条５とからなるものである。【０００７】  本第１考案によれば、２本のポール（３），（４）間に索条（５）を掛け渡しているので、該索条（５）に作業員（Ｅ）が着装した安全帯（Ｆ）を介して作業員を支持できるとともに水平方向にも上下方向にも移動しながら作業ができる。また、コンテナ（Ａ）の支柱（Ｂ）を利用するので、構造簡単で簡易かつ安価な安全装置を提供することができる。【０００８】  第２の考案では、索条（５）は、前記一方のポール（３）の頂部（３１）に固定するとともに他方のポール（４）の頂部（４１）に設けた滑車（５１）を介して、該ポールの（４）下端部の捲取り機（６）に固定したものである。【０００９】  第２の考案によれば、索条（５）の他方端部を巻取り機（６）に固定しているので、地上の作業員が巻取り機（６）の巻取り長さを調節できるとともに、２本のポール（３）、（４）間の索条（５）の長さ及び張力を調節でき、作業員（Ｅ）が作業をし易くできる。【００１０】第３の考案によれば、捲取り機（６）は、遠隔操作で前記索条（５）の張力を調整することができる。【００１１】  第３の考案によれば、索条（５）の巻取り機（６）を遠隔操作で操作できるので、作業員（Ｅ）自らが操作して索条（５）の上下の高さ及び張力の調節を自在にできる。【００１２】  上記カッコ内の符号は、後述する実施形態に記載の具体的手段との対応関係を参考的に示すものである。
【考案の効果】
【００１３】  以上のように、本考案のコンテナ用の高所作業用安全装置によれば、構造が簡単で作業員の自由な行動が確保できると共に安全な作業ができる。
【図面の簡単な説明】
【００１４】
【図１】  本考案の第１実施形態を示す安全装置の全体側面図である。
【図２】  （ａ）（ｂ）  本考案の横部材を示す正面図、側面図である。
【図３】  本考案のロック機構を示す正面断面図である。
【考案を実施するための形態】
【００１５】  なお、以下に説明する実施形態はあくまで一例であり、本考案の要旨を逸脱しない範囲で当業者が行う種々の設計的改良も本考案の範囲に含まれる。
【００１６】［実施形態］
図１には、コンテナＡの床板Ｄの四隅の支柱Ｂ上の隅金物Ｃに取り付けた本考案のコンテナ用の高所作業用安全装置１を示している。図２には本考案の高所作業用安全装置１の横部材２の詳細図を示している。図３には本考案のロック機構の正面断面図である。
【００１７】
0003225067.tif 000003
には隅金物Ｃが固着してある。隅金物Ｃは、元来コンテナＡを吊りあげるときにスプレッダーに取り付けたツイストロックを嵌合するものである。
【００１８】  高所作業用安全装置１は、両端にロック機構２１を取り付けた横部材２、２と横部材２のほぼ中央部に立設したポール３，４とポール３，４の頂部３１，４１間に張設する索条５とからなる。なお、横部材２、２とポール３，４の結合は横部材２にあけた穴の差し込も方式でも溶接で溶着する方法等いずれでもよい。
【００１９】  横部材２は、図２（ａ），（ｂ）に示すように、床板Ｄの対向する２辺の一辺側の支柱Ｂ、Ｂの上端部に渡って配される。横部材２の断面は、中空四角形筒型形状をしている。その両端の上面の前記支柱Ｂの位置に穴を有するプレート２２が穴の部分を避けて固着されている。前記穴にはロック機構２１のロック部２３を挿通される。
【００２０】  前記ロック機構２１の具体例は、図３に示すように、ツイストロックであって、上部外周に雄ねじを有し、下端部に軸の直径と同寸法幅の短辺とロック軸２４の直径よりも長い長辺からなる長方形状のロックキー部２５を有するロック軸２４と、前記ロック軸２４の雄ねじ部を挿通し、その内面が上方から下方に向かって小径に傾斜した一部欠損したリング状の下部スペーサ２６と、前記ロック軸の雄ねじ部を螺合し、その外面の下半部が上方から下方に向かって小径に傾斜した一部欠損したリング状の上部スペーサ２７と、前記上部スペーサ２７に設けた貫通する穴を２８から下部スペーサに設けた女ねじを有する穴２９に向かって前記上部スペーサ２７の上方から該女ねじ部に螺合するボルト２９とを備えて構成している。
【００２１】  そして、ハンドル３０が下部スペーサ−２６に外嵌している。
前記下部スペーサ２６の外周面に嵌めたハンドルとからなり、前記ボルト２９を締めることにより、前記下部スペーサの上に上部スペーサの傾斜した部分を前記下部スペーサ２６の傾斜部に嵌合すると下部スペーサ−がその外形を拡大してハンドル３１に固定される。また、上部スペーサ２７がロック軸２４を締め付ける。そして、ハンドルを水平方向（矢印方向）に操作するとロック軸２４の先端部が回転して、前記隅金物の内部に設けてある長穴の有するストッパーにロックキー部２５が係合し、横部材２が支柱Ｂに固定される。
なおロック機構は上記したツイストロックでなくてもよい。
【００２２】  前記ポール３，４は対向する横部材２の上面すなわちプレート２２を固定した面と同じ面のほぼ中央に固定して立設している。固定する方法は溶接でも横部材にあけた穴にその先端を咲子も方法でもよい。索条５は一方のポール３の先端部３１に固定し、その索条は他方のポール４の先端４１に設けた滑車５１を介してポール４の下端に設けたウインチ６で巻取り固定されている。そしてこのウインチは作業員Ｅからの遠隔操作で作動し、索条の張力を調節することができる。
【００２３】  床板Ｄ上に載荷した大型貨物Ｇは、床板Ｄからはみ出すほど大きく、かつ高さはコンテナＡの支柱Ｂよりも高い。この大型貨物を床板Ｄに固定する荷造りやシートなどを被せて養生するには作業員Ｅが大型貨物Ｇ上に登りシートを被せる必要がある。その際作業員Ｅは腰に安全ベルトＦを締めつけベルトの端部のフックを索条に掛けて遠隔操作でウインチ６を操作して索条を張力を調節してポール３，４の頂部３１，４１間の索条を緊張させて体重を支持する。
【００２４】  ６０は、前記横部材に設けた穴でポール３，４を差し込んで立設する。６１は本高所作業用安全装置を運搬し、支柱Ｂにセットするまでさせるフォークリフトの支持具である。前記ロック機構２１には、ハンドル３０とプレート２２との間に回り止めが設けてある。
【００２５】Ａ…コンテナ、Ｂ…支柱２Ａ，１…高所作業用の安全装置、２…横部材、３、４…ポール、５…索条、６…ウインチ。
【図１】
0003225067.tif 000004
【図２】
0003225067.tif 000005
【図３】
0003225067.tif 000006